(57)【要約】  本発明は評価試験区形成装置を提供する。本発明による圃場に所定面積を有する評価試験区を形成するための評価試験区形成装置は、各端部に接合連通穴が形成され、接合連通穴を互いに整合させた状態で環状円形状を形成するように湾曲させることができる可撓性の隔離プレートと、整合させた接合連通穴を貫通して、隔離プレートの環状円の内外を互いに連通させると共に、隔離プレートの端部同士を密着させるための連通締め付け手段とを有することを特徴とする。【特許請求の範囲】
【請求項１】
圃場に所定面積を有する評価試験区を形成するための評価試験区形成装置であって、各端部に接合連通穴が形成され、且つ、該接合連通穴を互いに整合させた状態で環状円形状を形成するように湾曲させることができる可撓性の隔離プレートと、前記整合させた接合連通穴を貫通して前記隔離プレートの環状円の内外を互いに連通させると共に、前記隔離プレートの端部同士を密着させるための連通締め付け手段とを有する評価試験区形成装置。
【請求項２】
圃場に所定面積を有する評価試験区を形成するための評価試験区形成装置であって、各端部に接合連通穴が形成され、且つ、該接合連通穴を互いに整合させた状態で全体として一つの環状円形状を形成するように湾曲させることができる少なくとも二つの可撓性の隔離プレートと、前記整合させた接合連通穴を貫通して前記環状円の内外を互いに連通させると共に、前記隔離プレートの端部同士を密着させるための連通締め付け手段とを有する評価試験区形成装置。
【請求項３】
前記隔離プレートの環状円の内から外への液体の流れを阻止するために前記連通締め付け手段に設けられた逆流防止手段をさらに有する請求項１又は請求項２に記載の評価試験区形成装置。
【請求項４】
前記隔離プレートの環状円の外から内への、及び、環状円の内から外への液体の流れを選択的に阻止するために前記連通締め付け手段に設けられた逆流防止手段をさらに有する請求項１又は請求項２に記載の評価試験区形成装置。
【請求項５】
前記連通締め付け手段が互いに係合可能な一対のパイプを有し、これらパイプのうちの一方のパイプが雄ねじ部とフランジ部とを有し、他方のパイプが前記一方のパイプの雄ねじ部に螺合する雌ねじ部とフランジ部とを有する請求項１から請求項４のいずれか一項に記載の評価試験区形成装置。
【請求項６】
前記隔離プレートの環状円の外から内への、及び、環状円の内から外への液体の流れを選択的に阻止するための前記逆流防止手段が、前記パイプのうちの少なくとも一つのパイプを曲げることによって形成される請求項５に記載の評価試験区形成装置。
【請求項７】
圃場に、それぞれが所定面積を有すると共に互いに連通され且つ結合された二つの評価試験区を形成するための評価試験区形成装置であって、それぞれが、各端部に接合連通穴が形成され、且つ、該接合連通穴を互いに整合させた状態で環状円形状を形成するように湾曲させることができる二つの可撓性の隔離プレートと、一方の前記隔離プレートの整合させた接合連通穴及び他方の前記隔離プレートの整合させた接合連通穴を貫通して、これら隔離プレートの環状円同士を連通させると共に、これら隔離プレートの端部同士を密着させるための連通締め付け手段とを有する評価試験区形成装置。
【請求項８】
圃場に所定面積を有する評価試験区を形成するための評価試験区形成方法であって、各端部に接合連通穴が形成された可撓性の隔離プレートを、前記接合連通穴を互いに整合させるために環状円形状に湾曲させることと、前記整合させた接合連通穴を貫通し、前記隔離プレートの環状円の内外を互いに連通させると共に前記隔離プレートの端部同士を密着させることと、このようにして得られた環状円隔離プレートを前記圃場に設置することとを含む評価試験区形成方法。
【請求項９】
圃場に所定面積を有する評価試験区を形成するための評価試験区形成方法であって、各端部に接合連通穴が形成された少なくとも二つの可撓性の隔離プレートを、全体として一つの環状円形状に湾曲させると共に、前記隔離プレートの隣接する端部の接合連通穴を互いに整合させて用いることと、前記整合させた接合連通穴を貫通し、前記隔離プレートの環状円の内外を互いに連通させると共に前記隔離プレートの端部同士を密着させることと、このようにして得られた環状円隔離プレートを前記圃場に設置することとを含む評価試験区形成方法。
【請求項１０】
圃場に、それぞれが所定面積を有すると共に互いに連通され且つ結合された二つの評価試験区を形成するための評価試験区形成方法であって、各端部に接合連通穴が形成された可撓性の第一隔離プレートを、前記接合連通穴を互いに整合させるために環状円形状に湾曲させることと、各端部に接合連通穴が形成された可撓性の第二隔離プレートを、前記接合連通穴を互いに整合させるために環状円形状に湾曲させることと、前記第一隔離プレートの整合させた接合連通穴及び前記第二隔離プレートの整合させた接合連通穴を貫通し、前記第一、第二隔離プレートの環状円同士を連通させると共に、これらの隔離プレートの前記端部同士を密着させることと、このようにして得られた二つの環状円隔離プレートを前記圃場に設置することとを含む評価試験区形成方法。
【請求項１１】
圃場に所定面積を有する評価試験区を形成するための評価試験区形成装置であって、各端部に接合穴が形成され、且つ、該接合穴を互いに整合させた状態で環状円形状を形成するように湾曲させることができる可撓性の隔離プレートと、前記整合させた接合穴を貫通して前記隔離プレートの端部同士を密着させるための締め付け手段とを有する評価試験区形成装置。
【請求項１２】
圃場に所定面積を有する評価試験区を形成するための評価試験区形成方法であって、各端部に接合穴が形成された可撓性の隔離プレートを、前記接合穴を互いに整合させるために環状円形状に湾曲させることと、前記隔離プレートの端部同士を密着させるために前記整合させた接合穴に締め付け手段を通すことと、このようにして得られた環状円隔離プレートを前記圃場に設置することとを含む評価試験区形成方法。
【発明の詳細な説明】
【技術分野】
【０００１】
本発明は、試験区形成装置及び方法に関し、特に、水田圃場に農業用化学薬品の評価試験区を形成するための装置及び方法に関する。
【背景技術】
【０００２】
新たに開発された農業用化学薬品については、その販売の準備として、例えば雑草に対する薬効や、稲などに対する薬害、或いはまた、有用生物への影響等に関して予め評価する必要がある。
この目的で、水田試験圃場において新開発薬品の模擬試験が行われている。この試験では、水田圃場内に、これと隔離された所定面積の試験区を形成し、この試験区に所定量の薬品が投与される。
【０００３】
上記試験区を形成するための試験区形成装置として、従来から、例えば、図１、図２に示すような装置が知られている。
これらの図に参照番号１で全体的に示される試験区形成装置は、可撓性の波板からなる隔離壁２を有する。隔離壁２は、全体的に環状の正方形に形作られ、下端部が水田圃場Ｐの地面Ｇに差し込まれているので、水田圃場Ｐと同一環境であるが、周囲の水田圃場Ｐから実質的に隔離された所定面積の試験区Ｔが隔離壁２の内部に形成される。
この試験区Ｔに水を供給するため、隔離壁２にはこれを水平方向に貫通する連通パイプ３が設けられ、この連通パイプ３を介して水田圃場Ｐに張られた水が部分的に試験区Ｔ内に引き入れられる。連通パイプ３は、例えば塩化ビニル製であり、試験区Ｔ内に延びる内端部３Ａと水田圃場Ｐに延びる外端部３Ｂとを有する。
試験区Ｔに張られる水の深さは、一般的に、２ｃｍ〜１０ｃｍ、好ましくは、４ｃｍ〜５ｃｍである。そのような所望の水深を得るため、連通パイプ３は地面Ｇから所望の高さに設けられる。他方、何らかの事情により水田圃場Ｐの水深が減少したときでも、一度得た試験区Ｔ内の所望の水深の減少を防止するための逆流防止手段４が連通パイプ３に設けられている。
【０００４】
この逆流防止手段４は可撓性のビニールチューブからなり、該ビニールチューブの外方開口端部４Ａは、連通パイプ３の内端部３Ａにその外周壁面を覆うように取り付けられている。可撓性チューブの内方開口端部４Ｂには、水平方向に位置決めされた対向した一対の折り目がつけられている。これらの折り目は、外力が加えられない状態で、内方開口端部４Ｂを弱い力で閉じるような働きをする。
また、内方開口端部４Ｂには、内方開口端部４Ｂに浮力を与える浮力提供要素５が設けられている。浮力提供要素５は、例えば、割れ物を搬送する際に用いられる所謂エアークッションによって構成されている。
浮力提供要素５は、水田圃場Ｐから試験区Ｔへの水の流入が止まると、試験区Ｔ内に溜められた水の水面に浮き、内方開口端部４Ｂは閉じられているので、その後、図２に示すように、水田圃場Ｐの水位が連通パイプ３より下方に下がった場合であっても、試験区Ｔの水が水田圃場Ｐに流出しない。
【発明の開示】
【発明が解決しようとする課題】
【０００５】
上述した試験から薬品の正確なデータを得るためには、試験区Ｔは正確な所定面積を有するように水田圃場Ｐに形成されなければならない。このような正確な所定面積を有する試験区Ｔを形成するためには、先ず、水田圃場Ｐにおいて厳密な測量を行い、これに基づいて、例えば、位置の指標となる杭を打ち、これらの杭に糸を張り、糸に沿って隔離壁２、すなわち、波板を位置決めするという作業工程で行われなければならない。しかしながら、このような作業は非常に煩わしい。
【０００６】
また、一枚の波板を使用して試験区Ｔを形成する場合でさえ、波板の一方の端部と他方の端部とによって一つの接合部が形成されることになるから、接合部における端部と端部との間の隙間からの水の流出入を防止しなければならない。従来は、波板の端部の波型面に沿って互いに単に重ね合わせた状態で、波板を水田圃場Ｐの地面Ｇに差しこむだけの場合があった。これでは、波板の端部同士の密着性が不十分であった。他方、このような波板の接合部分に杭立てや土盛りなどの補強作業を行うことによって波板の端部同士の密着性を向上させることもできるが、この場合には、試験区Ｔを形成するための作業工程が更に追加されることになり、また、このような追加の作業は相当の熟練を要していた。
【０００７】
更に、一枚の波板を、順次、四箇所も折り曲げて矩形の試験区Ｔを形成する煩わしさを軽減するため、二枚以上の波板を使用することがあるが、先に説明した短所を持つ波板の端部の接合部を増加させてしまう。
更にまた、隔離壁２に連通パイプ３を取り付けるためには隔離壁２に取付穴をあける必要がある。この取付穴を予め隔離壁２の適当な位置にあけておいたのでは、所定面積を有するように矩形の隔離壁２を形作ったところ、前記取付穴が矩形の隔離壁２のコーナー部付近に配置されてしまうこともあり、これでは、連通パイプ３を隔離壁２に取り付けることができない。従って、このような取付穴は、試験区Ｔを実際に形成する現場である水田圃場において隔離壁２にあけなければならなかった。
【０００８】
本発明は、上述した課題を解決するために発明されたものであって、測量作業なしに所定面積の試験区を形成すると共に、補強作業なしに接合部の密着性を向上させることができる試験区形成装置及び方法を提供することを目的とする。
【課題を解決するための手段】
【０００９】
上記目的を達成するため、本願第一発明による、圃場に所定面積を有する評価試験区を形成するための評価試験区形成装置は、各端部に接合連通穴が形成され、且つ、該接合連通穴を互いに整合させた状態で環状円形状を形成するように湾曲させることができる可撓性の隔離プレートと、前記整合させた接合連通穴を貫通して前記隔離プレートの環状円の内外を互いに連通させると共に、前記隔離プレートの端部同士を密着させるための連通締め付け手段とを有することを特徴とする。
【００１０】
上記目的を達成するため、本願第二発明による、圃場に所定面積を有する評価試験区を形成するための評価試験区形成装置は、各端部に接合連通穴が形成され、且つ、接合連通穴を互いに整合させた状態で全体として一つの環状円形状を形成するように湾曲させることができる少なくとも二つの可撓性の隔離プレートと、前記整合させた接合連通穴を貫通して前記環状円の内外を互いに連通させると共に、前記隔離プレートの端部同士を密着させるための連通締め付け手段とを有することを特徴とする。
【００１１】
上記第一、第二発明では、前記隔離プレートの環状円の内から外への液体の流れを阻止するために前記連通締め付け手段に設けられた逆流防止手段を有するのが好ましい。
上記第一、第二発明では、また、前記環状円の外から内への、及び、前記隔離プレートの環状円の内から外への液体の流れを選択的に阻止するために前記連通締め付け手段に設けられた逆流防止手段を有するのが好ましい。
更に、上記第一、第二発明では、前記連通締め付け手段が互いに係合可能な一対のパイプを有し、これらパイプのうちの一方のパイプが雄ねじ部とフランジ部とを有し、他方のパイプが前記一方のパイプの雄ねじ部に螺合する雌ねじ部とフランジ部とを有するのが好ましい。
更にまた、上記第一、第二発明では、前記隔離プレートの環状円の外から内への、及び、環状円の内から外への液体の流れを選択的に阻止するための前記逆流防止手段が、前記パイプのうちの少なくとも一つのパイプを曲げることによって構成されるのが好ましい。
【００１２】
上記目的を達成するため、本願第三発明による、圃場に、それぞれが所定面積を有すると共に互いに連通され且つ結合された二つの評価試験区を形成するための評価試験区形成装置は、それぞれが、各端部に接合連通穴が形成され、且つ、該接合連通穴を互いに整合させた状態で環状円形状を形成するように湾曲させることができる二つの可撓性の隔離プレートと、一方の前記隔離プレートの整合させた接合連通穴及び他方の前記隔離プレートの整合させた接合連通穴を貫通して、これらの隔離プレートの環状円同士を連通させると共に、これらの隔離プレートの端部同士を密着させるための連通締め付け手段とを有することを特徴とする。
【００１３】
上記目的を達成するため、本願第四発明による、圃場に所定面積を有する評価試験区を形成するための評価試験区形成方法は、各端部に接合連通穴が形成された可撓性の隔離プレートを、前記記接合連通穴を互いに整合させるために環状円形状に湾曲させることと、前記整合させた接合連通穴を貫通し、前記隔離プレートの環状円の内外を互いに連通させると共に前記隔離プレートの端部同士を密着させることと、このようにして得られた環状円隔離プレートを前記圃場に設置することとを含むことを特徴とする。
【００１４】
上記目的を達成するため、本願第五発明による、圃場に所定面積を有する評価試験区を形成するための評価試験区形成方法は、各端部に接合連通穴が形成された少なくとも二つの可撓性の隔離プレートを、全体として一つの環状円形状に湾曲させると共に、前記隔離プレートの隣接する端部の接合連通穴同士を互いに整合させて用いることと、前記整合させた接合連通穴を貫通し、前記隔離プレートの環状円の内外を互いに連通させると共に前記隔離プレートの端部同士を密着させることと、このようにして得られた環状円隔離プレートを前記圃場に設置することとを含むことを特徴とする。
【００１５】
上記目的を達成するため、本願第六発明による、圃場に、それぞれが所定面積を有すると共に互いに連通され且つ結合された二つの評価試験区を形成するための評価試験区形成装置は、各端部に接合連通穴が形成された可撓性の第一隔離プレートを、前記接合連通穴を互いに整合させるために環状円形状に湾曲させることと、各端部に接合連通穴が形成された可撓性の第二隔離プレートを、前記接合連通穴を互いに整合させるために環状円形状に湾曲させることと、前記第一隔離プレートの整合させた接合連通穴及び前記第二隔離プレートの整合させた接合連通穴を貫通し、前記第一、第二隔離プレートの環状円同士を連通させると共に、これらの隔離プレートの前記端部同士を密着させることと、このようにして得られた二つの環状円隔離プレートを前記圃場に設置することとを含むことを特徴とする。
【００１６】
上記目的を達成するため、本願第七発明による、圃場に所定面積を有する評価試験区を形成するための評価試験区形成装置は、各端部に接合穴が形成され、且つ、該接合穴を互いに整合させた状態で環状円形状を形成するように湾曲させることができる可撓性の隔離プレートと、前記整合させた接合穴を貫通して前記隔離プレートの端部同士を密着させるための締め付け手段とを有することを特徴とする。
【００１７】
上記目的を達成するため、本願第八発明による、圃場に所定面積を有する評価試験区を形成するための評価試験区形成方法は、各端部に接合穴が形成された可撓性の隔離プレートを、前記接合穴を互いに整合させるために環状円形状に湾曲させることと、前記隔離プレートの端部同士を密着させるために前記整合させた接合穴に締め付け手段を通すことと、このようにして得られた環状円隔離プレートを前記圃場に設置することとを含むことを特徴とする。
【００１８】
上記本願第一発明では、各端部に形成された接合連通穴同士を整合させるように隔離プレートを湾曲させることができるように構成したので、隔離プレートを簡単に環状円に形成することができる。しかも、接合連通穴間を所定距離に寸法決めしておくことによって、所望の面積を有する隔離プレートの環状円を容易に形成することができる。また、連通締め付け手段によって、隔離プレートの環状円の内外を互いに連通させると共に、隔離プレートの端部同士を密着させるので、端部での密着性が向上し、従来技術におけるような補強作業が不要となる。
【００１９】
上記本願第二発明では、隣接した隔離プレートの端部に形成された接合連通穴同士を整合させるように、少なくとも二つの隔離プレートを、全体として一つの環状円形状を形成するように湾曲させることができるように構成したので、環状円の隔離プレートを簡単に形成することができる。しかも、各隔離プレートの接合連通穴間を所定距離に寸法決めしておくことによって、所望の面積を有する隔離プレートの環状円を容易に形成することができる。また、連通締め付け手段によって、隔離プレートの環状円の内外を互いに連通させると共に、隔離プレートの端部同士を密着させるので、端部での密着性が向上し、従来技術におけるような補強作業が不要となる。
【００２０】
上記本願第三発明では、各端部に形成された接合連通穴同士を整合させるように、二つの隔離プレートを湾曲させることができるように構成したので、二つの隔離プレートの環状円を簡単に形成することができる。しかも、それぞれの隔離プレートの接合連通穴間を所定距離に寸法決めしておくことによって、所望の面積を有する二つの隔離プレートの環状円を容易に形成することができる。また、連通締め付け手段によって、二つの隔離プレートの環状円同士を連通させると共に、二つの隔離プレートの端部同士を密着させるので、密着性が向上する。
【００２１】
上記本願第四発明では、隔離プレートを湾曲させることによって環状円を形成するので、接合連通穴間を所定距離に寸法決めしておくことによって、所望の面積を有する隔離プレートの環状円を容易に形成することができる。また、隔離プレートの環状円の内外を互いに連通させると共に、隔離プレートの端部同士を密着させるので、従来技術におけるような補強作業が不要となる。
【００２２】
本願第五発明では、少なくとも二つの隔離プレートを、全体として一つの環状円を形成するように湾曲させる構成としたので、接合連通穴間を所定距離に寸法決めしておくことによって、所望の面積を有する二つの隔離プレートの環状円を容易に形成することができる。また、隔離プレートの環状円の内外を互いに連通させると共に、二つの隔離プレートの端部同士を密着させるので、従来技術におけるような補強作業が不要となる。
【００２３】
本願第六発明では、二つの隔離プレートを湾曲させることによって二つの環状円を形成するので、それぞれ、隔離プレートの接合連通穴間を所定距離に寸法決めしておくことによって、それぞれが所望の面積を有する隔離プレートの環状円を容易に形成することができる。また、二つの隔離プレートの環状円同士を連通させると共に、二つの隔離プレートの端部同士を密着させるので、従来技術におけるような補強作業が不要となる。
【００２４】
上記本願第七発明では、各端部に形成された接合穴同士を整合させるように隔離プレートを湾曲させることができるように構成したので、隔離プレートの環状円を簡単に形成することができる。しかも、接合穴間を所定距離に寸法決めしておくことによって、所望の面積を有する隔離プレートの環状円を容易に形成することができる。また、締め付け手段によって、隔離プレートの端部同士を密着させることができる。本発明では、隔離プレートの環状円の内外を互いに連通させることを要しない。締め付け手段は、互いに係合可能な一対の雄形部材及び雌形部材を有し、これらの部材のうちの一方が整合させた接合穴を貫通して他方の部材と係合され、これにより、隔離プレートの端部同士が締めつけられるのが好ましい。好ましくは、これらの雄形部材及び雌形部材は中実である。
【００２５】
上記本願第八発明では、隔離プレートを湾曲させることによって環状円を形成するので、接合穴間を所定距離に寸法決めしておくことによって、所望の面積を有する隔離プレートの環状円を容易に形成することができる。また、整合させた接合穴に締め付け手段を通すことによって、隔離プレートの端部同士を密着させるので、隔離プレートの端部同士の密着性を高めるための作業は不要である。本発明では、隔離プレートの環状円の内外を互いに連通させることを要しない。締め付け手段は、互いに係合可能な一対の雄形部材及び雌形部材を有し、これらの部材のうちの一方が整合させた接合穴を貫通して他方の部材と係合され、これにより、隔離プレートの端部同士が締めつけられるのが好ましい。好ましくは、これらの雄形部材及び雌形部材は中実である。
【発明を実施するための最良の形態】
【００２６】
以下、添付図面を参照して、本発明の実施形態について説明する。これらの実施形態は、本発明を、水田圃場で用いられる評価試験区形成装置に適用したものである。
【００２７】
図３を参照すると、本発明の第一実施形態による評価試験区形成装置が参照番号１１で示されている。この評価試験区形成装置１１は、背景技術の項で説明した従来技術と同様に、水田圃場Ｐ（の地面Ｇ）に設置され、試験区Ｔを形成するのに使用される。
評価試験区形成装置１１は、図３に示される一つの隔離プレート１２を有する。この隔離プレート１２は、図４から良くわかるように、一枚の可撓性シートからなり、例えば、塩化ビニルで作ることができる。隔離プレート１２は二つの端部１２Ａ、１２Ｂを有し、これらの端部には、それぞれ、接合連通穴１３Ａ、１３Ｂが形成されている。
【００２８】
評価試験区形成装置１１はまた、以下に記載の機能を果たす連通締め付け手段１４も有する。図４に示す隔離プレート１２を、図３に示すように、接合連通穴１３Ａ、１３Ｂ同士を整合させるために環状円形状に湾曲させると、連通締め付け手段１４は、接合連通穴１３Ａ、１３Ｂを貫通して隔離プレート１２の環状円形の内外を互いに連通させると共に、端部１２Ａ、１２Ｂ同士を密着させる。
【００２９】
図５にはっきりと示すように、連通締め付け手段１４は、互いに係合可能な一対の外側雌パイプ１５及び内側雄パイプ１６を有する。外側雌パイプ１５は、全体的に円筒状の円筒本体１５Ａと、円筒本体１５Ａの接合側端部に形成された締め付け部、すなわち、フランジ部１５Ｂとを有し、接合側端部には雌ねじ１５Ｃが切られている。内側雄パイプ１６は、全体的に円筒状の円筒本体１６Ａと、円筒本体１６Ａに形成された締め付け部、すなわち、フランジ部１６Ｂと、フランジ部１６Ｂから延びる円筒延長部とを有し、円筒延長部には雄ねじ１６Ｃが切られている。尚、内側雄パイプ１６には、従来の試験区形成装置１において説明した逆流防止手段４が取り付けられている。より詳細には、内側雄パイプ１６の円筒本体１６Ａの外面を覆うように、逆流防止手段４の外方開口端部４Ａが取り付けられている。この逆流防止手段４のその他の構造、機能については既に説明したので、ここでは繰り返し説明はしない。
【００３０】
隔離プレート１２の整合させた接合連通穴１３Ａ、１３Ｂに連通締め付け手段１４を取り付けるときには、例えば、環状円形状に形作られた隔離プレート１２の内側から、内側雄パイプ１６の雄ねじ１６Ｃが形成された円筒延長部を隔離プレート１２の接合連通穴１３Ａ、１３Ｂに通して、フランジ部１６Ｂを隔離プレート１２に当接させる。接合連通穴１３Ａ、１３Ｂを内側雄パイプ１６の雄ねじ１６Ｃの直径よりも僅かに大きい寸法と形状で形成して、内側雄パイプ１６から手を離しても、内側雄パイプ１６が隔離プレート１２から容易に脱落しないようにするのが好ましい。
【００３１】
隔離プレート１２から外方に（水田圃場Ｐに向かって）突出する内側雄パイプ１６の雄ねじ１６Ｃに外側雌パイプ１５の雌ねじ１５Ｃを螺合させて、外側雌パイプ１５のフランジ部１５Ｂを隔離プレート１２に当接させ、内側雄パイプ１６のフランジ部１６Ｂと外側雌パイプ１５のフランジ部１５Ｂとによって隔離プレート１２の端部１２Ａ、１２Ｂを締めつける。
【００３２】
環状円形隔離プレート１２への連通締め付け手段１４の取り付けにより、環状円形隔離プレート１２の内外を互いに連通させると同時に、端部１２Ａ、１２Ｂ同士を密着させることができる。
このようにして形成された評価試験区形成装置１１を水田圃場Ｐの地面Ｇに差しこむことによって、試験区Ｔを簡単に形成することができる。
【００３３】
ところで、隔離プレート１２の各種寸法は、形成すべき試験区Ｔの面積及び試験区Ｔに供給されることになる水の水位に応じて決定される。
例えば、１ｍ2の試験区Ｔを形成することが必要な場合には、図４に示す状態において隔離プレート１２の接合連通穴１３Ａ、１３Ｂ間の距離は３５４ｃｍである。この隔離プレート１２によって形成される環状円形隔離プレート１２（図３）の円周は３５４ｃｍであるので、円周率を３．１４とするとき、環状円形隔離プレート１２の直径、半径は、それぞれ、１１２．７３８８５ｃｍ、５６．３６９４２６ｃｍとなる。従って、環状円形隔離プレート１２内の面積、すなわち、試験区Ｔの面積は９９７７．３８８３ｃｍ2となり、１ｍ2に略等しい。試験区Ｔのより厳密な面積１ｍ2が望ましい場合には、隔離プレート１２の接合連通穴１３Ａ、１３Ｂ間の距離を、より厳密に計算された数値にすれば良い。
【００３４】
本発明の評価試験区形成装置１１によれば、隔離プレート１２の接合連通穴１３Ａ、１３Ｂ間の距離を、上述したように、予め計算によって求めた数値に基づいて形成することができるので、従来の試験区形成装置１におけるような水田圃場Ｐでの測量作業を必要とすることなく、所望の面積の試験区Ｔを容易に形成することができる。
また、本発明の評価試験区形成装置１１では、隔離プレート１２に連通用のパイプ１５、１６を取り付けるための接合連通穴１３Ａ、１３Ｂを予め形成しておくことができ、このような接合連通穴１３Ａ、１３Ｂを予め形成しておくことによる不利益もないため、従来の試験区形成装置１におけるような水田圃場Ｐでの煩わしい穴あけ作業がなくなる。
【００３５】
更に、本発明の評価試験区形成装置１１では、パイプ１５、１６が取り付けられる接合連通穴１３Ａ、１３Ｂが環状円形隔離プレート１２の接合される端部１２Ａ、１２Ｂに設けられると同時に、隔離プレート１２の端部１２Ａ、１２Ｂが互いに密着するように締め付けられるので、隔離プレート１２の接合される端部１２Ａ、１２Ｂ間の隙間を、従来の試験区形成装置１で生じる隙間に比して小さくすることができる。このように、従来の試験区形成装置１において行われる補強作業が不要である。
【００３６】
図６は、本発明による第二実施形態の評価試験区形成装置２１を示す。
評価試験区形成装置２１は、第一実施形態の評価試験区形成装置１１の隔離プレート１２と同一の構成の二つの隔離プレート２２Ａ、２２Ｂと、第一実施形態の評価試験区形成装置１１の連通締め付け手段１４と同一の連通締め付け手段１４とを有する。
評価試験区形成装置２１を図６に示すように組立てるときには、評価試験区形成装置１１の隔離プレート１２と同様に、隔離プレート２２Ａ、２２Ｂをそれぞれ環状円に湾曲にして形成し、各隔離プレートの両端部に形成された接合連通穴同士を整合させる。その後、隔離プレート２２Ａの整合させた接合連通穴と、隔離プレート２２Ｂの整合させた接合連通穴とを、隔離プレート２２Ａ、２２Ｂの外面同士が接するように互いに整合させる。そして、例えば、環状円形状に形作られた隔離プレート２２Ａの内側から、連通締め付け手段１４の内側雄パイプ１６の雄ねじ１６Ｃが形成された円筒延長部を、隔離プレート２２Ａ、２２Ｂの四つの接合連通穴に通して、フランジ部１６Ｂを隔離プレート１２に当接させ、内側雄パイプ１６の雄ねじ１６Ｃが形成された円筒延長部を環状円形状に形作られた隔離プレート２２Ｂ内に突出させる。
【００３７】
そして、隔離プレート２２Ｂ内に突出する内側雄パイプ１６の雄ねじ１６Ｃに外側雌パイプ１５の雌ねじ１５Ｃを螺合させて、外側雌パイプ１５のフランジ部１５Ｂを隔離プレート２２Ｂに当接させ、それによって、内側雄パイプ１６のフランジ部１６Ｂと外側雌パイプ１５のフランジ部１５Ｂとによって隔離プレート２２Ａ、２２Ｂの四つの端部を締めつける。
このようにして形成された評価試験区形成装置２１を水田圃場Ｐの地面Ｇに差しこむことによって、連通締め付け手段１４によって互いに連通され且つ結合された二つの試験区Ｔ１、Ｔ２を形成する。
この評価試験区形成装置２１は、水田水の流出による薬害試験を行うのに適している。詳述すると、例えば、試験区Ｔ１に新薬を投与し、試験区Ｔ２には新薬を投与しない場合の試験区Ｔ１、試験区Ｔ２内における変化を観察することによって、互いに連通する二つの隣接した水田の一方にのみ薬剤を投与した場合に、この薬剤が他方の水田に与える影響を擬似検証することができる。
【００３８】
図７は、評価試験区形成装置１１で使用される連通締め付け手段１４の改良した実施形態である連通締め付け手段３０を示す。
連通締め付け手段１４の外側雌パイプ１５の円筒本体１５Ａが略水平に真っ直ぐに延びているのに対して、連通締め付け手段３０は、円筒本体３０Ａが曲げられている外側雌パイプ３０を有するということ以外は、連通締め付け手段３０は連通締め付け手段１４と略同一の構造を有する。
このように円筒本体３０Ａに角度をつけることにより、すなわち、パイプ１５をエルボ（継手）に構成することにより、周囲の水田圃場Ｐから試験区Ｔへの水の流入、及び、試験区Ｔから周囲の水田圃場Ｐへの水の流出を任意に、又は、選択的に止めることができる。すなわち、角度付き円筒本体３０Ａは選択的逆流防止手段を構成する。
【００３９】
例えば、図７に示すように、試験区Ｔが所望の水深を有するときに、周囲の水田圃場Ｐの水深が試験区Ｔの所望の水深を越えてしまう場合、円筒本体３０Ａの開口部３０ａが上方を向くように、外側雌パイプ３０を隔離プレート１２に対して単に回転させることによって、水田圃場Ｐから試験区Ｔへの望ましくない水の流入を阻止することができる。さらに、試験区Ｔが所望の水深で満たされているときに、周囲の水田圃場Ｐの水深が試験区Ｔの所望の水深を下回っている場合、連通締め付け手段３０によって試験区Ｔから水田圃場Ｐへ水が流出することを阻止することができる。
【００４０】
本発明は、上述した実施形態に限定されることなく以下のような種々の変更が可能である。
例えば、評価試験区形成装置２１では、逆流防止手段４を用いない態様を説明したが、試験内容に応じて、逆流防止手段４を試験区Ｔ１、Ｔ２に設けても良いのは明らかである。従ってまた、評価試験区形成装置２１においても、試験区Ｔ１、試験区Ｔ２間の水の流入を任意に、又は、選択的に止める目的で、連通締め付け手段１４に代えて連通締め付け手段３０を用いても良い。
また、連通締め付け手段１４、３０では、外側パイプが雄型であり、内側パイプが雄型であったけれども、外側パイプが雄型とし、内側パイプが雌型としても良い。連通締め付け手段３０においては、内側パイプをエルボ（継手）としても良い。
【００４１】
更に、評価試験区形成装置１１では、一つの隔離プレート１２を使用して１ｍ2の試験区Ｔを形成したが、二つの隔離プレート１２を使用することによって４ｍ2の試験区Ｔを容易に形成することができる。すなわち、一方の隔離プレート１２の接合連通穴１３Ａと他方の隔離プレート１２の接合連通穴１３Ｂとを整合させて、これら整合させた接合連通穴が形成された端部を連通締め付け手段１４、２１で互いに係合させて締め付け、同様に、一方の隔離プレート１２の接合連通穴１３Ｂと他方の隔離プレート１２の接合連通穴１３Ａとを整合させて、これら整合させた接合連通穴が形成された端部を連通締め付け手段１４、３０で互いに係合させて締め付ける。これにより、４ｍ2の試験区Ｔが形成される。使用される（各）連通締め付け手段１４には逆流防止手段４を設けるのが好ましい。
【００４２】
上述したように、逆流防止手段４、連通締め付け手段３０は水田圃場から試験区への望ましくない水の流入を阻止する手段として機能し、連通締め付け手段３０はまた、試験区Ｔから水田圃場Ｐへの望ましくない水の流出を阻止する手段として機能する。しかし、これら手段に代えて既存の逆止弁構造を用いても良い。
【００４３】
本発明による試験区形成装置及び方法は、農薬試験の他、栽培試験や、肥料試験など各種試験一般に広く利用することができる。
【図面の簡単な説明】
【００４４】
【図１】従来の試験区形成装置を示す概略図である。
【図２】図１に示す試験区形成装置の部分拡大図である。
【図３】本発明の第一実施形態による試験区形成装置を示す概略図である。
【図４】図３に示す試験区形成装置を構成する隔離プレートの正面図である。
【図５】図３に示す試験区形成装置の部分拡大図である。
【図６】本発明の第二実施形態による試験区形成装置を示す概略図である。
【図７】本発明の第一実施形態による試験区形成装置の連通締め付け手段の改良した実施形態を示す図である。
【図１】
2007513619.tif 000002
【図２】
2007513619.tif 000003
【図３】
2007513619.tif 000004
【図４】
2007513619.tif 000005
【図５】
2007513619.tif 000006
【図６】
2007513619.tif 000007
【図７】
2007513619.tif 000008
【国際調査報告】
2007513619.tif 000009
2007513619.tif 000010